(57)【要約】【課題】パネルのパネル孔に配置するボタンを操作感を良好に保ちつつ１部材で成型することを可能とすること。【解決手段】曲面状のパネルに形成されたパネル孔に配置されるプッシュ操作用のボタン部材１０は、複数のパネル孔に配置される複数のボタン部１Ａ，１Ｂと、隣接する２つのボタン部１Ａ，１Ｂを、プッシュ操作の方向とは略垂直の方向にオフセットさせて繋ぐ切断可能なタイバー４とを備える。【選択図】　図１
2004039451.tif 000002
【特許請求の範囲】
【請求項１】
曲面状のパネルに形成されたパネル孔に配置されるプッシュ操作用のボタン部材において、
複数の上記パネル孔に配置される複数のボタン部と、
隣接する２つの上記ボタン部を、上記プッシュ操作の方向とは略垂直の方向にオフセットさせて繋ぐ切断可能なタイバーと、
を備えることを特徴とするボタン部材。
【請求項２】
前記タイバーは、隣接する２つの前記ボタン部の間隔を、それらの前記ボタン部が配置される前記パネル孔の間隔と等しくする長さであることを特徴とする請求項１記載のボタン部材。
【請求項３】
前記ボタン部は、ボタン凸部とフランジ部とを有し、
前記タイバーは、上記フランジ部に繋がり、
上記フランジ部は、前記パネルの曲面形状に合わせて湾曲していること、
を特徴とする請求項１または請求項２記載のボタン部材。
【請求項４】
前記タイバーは、折り溝を有することを特徴とする請求項１から請求項３のうちのいずれか１項記載のボタン部材。
【請求項５】
パネル孔に配置されるプッシュ操作用のボタン部材において、
複数の上記パネル孔に配置される複数のボタン部と、
複数のボタン部のうちの隣接する２つの上記ボタン部を連結するヒンジ部と、上記ヒンジ部により連結される２つの上記ボタン部より間隔が狭い２つの上記ボタン部を、上記プッシュ操作の方向とは略垂直の方向にオフセットさせて繋ぐ切断可能なタイバーと、
を備えることを特徴とするボタン部材。
【請求項６】
曲面状のパネルに形成されたパネル孔に配置されるプッシュ操作用のボタン部材であって、複数の上記パネル孔に配置される複数のボタン部と、隣接する２つの上記ボタン部を、上記プッシュ操作の方向とは略垂直の方向にオフセットさせて繋ぐ切断可能なタイバーとを備えるボタン部材を１部材として成型し、
ボタンの組み付け時に上記タイバーを切断して上記複数のボタン部を分離し、
分離された上記ボタン部をそれぞれ上記パネル孔に配置すること、
を特徴とするボタンの組み付け方法。
【発明の詳細な説明】
【０００１】
【発明の属する技術分野】
この発明は、ボタン部材およびボタンの組み付け方法に関する。
【０００２】
【従来の技術】
電話機などの電子機器には、アクリルやＡＢＳ（Ａｃｒｙｌｏｎｉｔｒｉｌｅ　Ｂｕｔａｄｉｅｎｅ　Ｓｔｙｒｅｎｅ　）等の樹脂で成型されたプッシュ（押圧）操作用のボタンが具備されることが多い。図９は、ボタンの組み付け後の周辺構造の例を示す図である。例えば、図９に示すように、ボタン部材７１は、電子機器のパネル７８に形成されたパネル孔７９に配置され、パネル７８の内側に、タクトスイッチＳＷ１（図９（ａ））やゴムキーＳＷ２（図９（ｂ））などのスイッチデバイスが載置されたプリント基板などの回路基板Ｃが配置されている。そして、このような電子機器では、このボタン部材７１がプッシュ（押圧）操作されることにより回路基板Ｃ上の各種スイッチデバイスＳＷが作動すなわちオンオフする。
【０００３】
ところで、このようなボタン部材７１は、従来、複数の金型を用いて構造的に独立した状態で個々に成型して作成されるか、複数のボタンをヒンジで繋いで使用される。
【０００４】
図１０は、従来のボタン部材の一例を示す正面図である。図１０に示すボタン部材１００は、３つのボタン部１０１Ａ，１０１Ｂ，１０１Ｃと、それらの連結するヒンジ部１０２を有し、１部材としてそのままパネルに組み付けられるものである。ヒンジ部１０２には、固定孔１０３が設けられ、例えばこの固定孔１０３をパネルの凸部に嵌合させることで、ボタン部材１００がパネルに固定される。
【０００５】
【発明が解決しようとする課題】
図９に示すようなボタン部材が複数種類ある場合、それらを複数の金型を用いて個々に成型すると、金型の数だけ金型作成費用がかかり、ボタンの製造コストを低減することが困難である。
【０００６】
一方、複数種類のボタン部材を１つの金型で共取りにより複数成型した場合は、金型成型時の間隔のままボタンを曲面状のパネルに設置することで支障が生ずる場合がある。図１１は、共取りにより得られる従来のボタンの一例を示す正面図である。すなわち、共取りにより２つのボタンを成型した場合、図１１に示すように、例えば、２つのボタン部材７１Ａ，７１Ｂがタイバー７４で連結された状態となるが、タイバー７４を切断し、そのまま２つのボタン７１Ａ，７１Ｂを金型成型時の間隔のままでパネルに設置すると、ボタン７１Ａ，７１Ｂの組み付け時や操作時に、２つの切断されたタイバー７４が干渉してしまう。
【０００７】
そのため、金型成型時の間隔のままでボタンをパネルに配置せずに、タイバー７４の長さを、ボタン部材７１Ａ，７１Ｂの間隔がパネル孔の間隔より短くなるようにし、タイバー７４の切断後、２つのボタン７１Ａ，７１Ｂの間隔を拡げて（例えば長さｅだけそれぞれ離して）パネルに配置することが考えられる。
【０００８】
ところで、このようなボタンを配置する電子機器のパネルが湾曲しており曲面状である場合、図１２に示すように、ボタンは、そのパネルの曲面形状に合わせて成型される。
【０００９】
したがって、上述のように、曲面形状を有するパネルのパネル孔に配置するボタン部材８１Ａ，８１Ｂの場合、タイバー８４の長さを、ボタン部材８１Ａ，８１Ｂの間隔がパネル孔８９の間隔より短くなるようにし、ボタン８１Ａ，８１Ｂの間隔をパネル８８の曲面形状に沿って拡げてボタン８１Ａ，８１Ｂをパネル孔８９に配置させることが考えられる。しかしながら、このようにすると、ボタン８１Ａ，８１Ｂ成型時の金型からの抜き方向ｈ２と、パネル８８成型時の金型からの抜き方向ｈ３とが同一方向にならない。そして、これに起因して、ボタン８１Ａ，８１Ｂのプッシュ（押圧）操作の際に、パネル８８に形成されたパネル孔８９の縁部８９ａとボタン８１Ａ，８１Ｂの縁部８１ａ，８１ｂとが擦れてしまう。
【００１０】
すなわち、樹脂などからパネルやボタンを成型する場合の型抜きの方向には成型物が型に引っ掛からないようにある角度θがとられており、パネルとボタンの型抜き方向が同一となるように組み付ければ両者の縁部８１ａ，８１ｂ，８９ａが過度に擦れることはないが、上述のように、ボタン部材８１Ａ，８１Ｂの間隔を拡げる必要があるため、このような問題が生じてしまう。
【００１１】
さらに、共取りにより成型したボタン部材は、分割された後、複数種類のボタン部材として納品されるため、個取りした場合と同様に部品点数が多く、品番の付与や保管などの管理作業に労力を要する。
【００１２】
また、ヒンジ部を有する従来のボタン部材では、隣接するボタン部の間隔が狭い部分では、他の部分よりヒンジ部が短くなり、その短いヒンジ部に繋がったボタン部だけ、プッシュ操作時の抵抗感が大きくなり、すべてのボタン部の操作感を均一にすることが困難である。例えば図１０の場合では、ボタン部１０１Ｂとボタン部材１０１Ｃとの間のヒンジ部１０２が他のヒンジ部１０２より短いため、ボタン部１０１Ａと比較して、ボタン部１０１Ｂ，１０１Ｃのプッシュ操作時の抵抗感が大きくなってしまう。さらに、ヒンジ部１０２を構成するためのスペースが十分とれない場合は、例えばボタン部１０１Ｂを押すことでボタン部１０１Ｃが動いてしまい、１つのボタン部１０１Ｂ，１０１Ｃだけを押しているにも拘わらず２つのボタン部１０１Ｂ，１０１Ｃが同時に押されてしまうという不具合が生じる。従来、その不具合が生じる部分だけ別の金型から成型しているが、その分の金型代が発生してしまう。そのため、複数の金型を用いて個々に成型すると、金型の数だけ金型作成費用がかかってしまう。
【００１３】
本発明は、上記の問題に鑑みてなされたもので、パネルのパネル孔に配置するボタンを操作感を良好に保ちつつ１部材で成型することを可能とするボタン部材およびボタンの組み付け方法を得ることを目的とする。
【００１４】
【課題を解決するための手段】
上記の課題を解決するために、本発明のボタン部材は、曲面状のパネルに形成されたパネル孔に配置されるプッシュ操作用のボタン部材であって、複数のパネル孔に配置される複数のボタン部と、隣接する２つのボタン部を、プッシュ操作の方向とは略垂直の方向にオフセットさせて繋ぐ切断可能なタイバーとを備える。
【００１５】
さらに、本発明のボタン部材は、上記発明のボタン部材に加え、タイバーにより、隣接する２つのボタン部の間隔を、それらのボタン部が配置されるパネル孔の間隔と等しくしたものである。
【００１６】
さらに、本発明のボタン部材は、上記各発明のボタン部材に加え、ボタン部には、ボタン凸部とフランジ部とを有し、タイバーがそのフランジ部に繋がり、そのフランジ部がパネルの曲面形状に合わせて湾曲しているようにしたものである。
【００１７】
さらに、本発明のボタン部材は、上記各発明のボタン部材に加え、タイバーに折り溝を有するものである。
【００１８】
本発明のボタン部材は、複数のパネル孔に配置される複数のボタン部と、複数のボタン部のうちの隣接する２つのボタン部を連結するヒンジ部と、ヒンジ部により連結される２つのボタン部より間隔が狭い２つのボタン部を、プッシュ操作の方向とは略垂直の方向にオフセットさせて繋ぐ切断可能なタイバーとを備える。
【００１９】
さらに、本発明のボタンの組み付け方法は、曲面状のパネルに形成されたパネル孔に配置されるプッシュ操作用のボタン部材であって、複数のパネル孔に配置される複数のボタン部と、隣接する２つのボタン部を、プッシュ操作の方向とは略垂直の方向にオフセットさせて繋ぐ切断可能なタイバーとを備えるボタン部材を１部材として成型し、ボタンの組み付け時に上記タイバーを切断して複数のボタン部を分離し、分離されたボタン部をそれぞれパネル孔に配置する。
【００２０】
【発明の実施の形態】
以下、図に基づいて、本発明の各実施の形態について、順次説明する。なお、これから以下に説明する各実施の形態に係るボタン部材は、電話機、計算機、電子手帳、リモートコントローラ等といった電子機器におけるプッシュ操作用のボタンに用いることができる。
【００２１】
実施の形態１．
図１は、本発明の実施の形態１に係るボタン部材を示す平面図であり、図２は、その側面図である。図１および図２において、ボタン部材１０は、曲面状のパネルに形成された複数のパネル孔に配置される２つのボタン部１Ａ，１Ｂと、隣接する２つのボタン部１Ａ，１Ｂを、プッシュ操作の方向とは垂直の方向にオフセットさせて繋ぐ切断可能なタイバー４とを備える。なお、ボタン部１Ａ，１Ｂの端面は、図２に示すように型抜き方向からある角度θだけ傾斜している。
【００２２】
このボタン部材１０は、例えば、アクリルやＡＢＳ等の樹脂を用いて射出成型等により一体成型される。また、ボタン部材１０は、成型後、１部材のまま、印刷、塗装等の二次加工が施される。
【００２３】
各ボタン部１Ａ，１Ｂは、操作時に接触を受けるボタン凸部２と、パネルと回路基板の間に係止されるフランジ部３とを有する。タイバー４は、このフランジ部３に繋がっている。また、フランジ部３は、パネルの曲面形状に合わせて湾曲している。さらに、ボタン部１Ａ，１Ｂがパネルのパネル孔に配置されると、ボタン凸部２は、パネルから露出した状態となる。
【００２４】
さらに、タイバー４には、工具などを使わずに容易に折ることができるように折り溝５が形成されている。
【００２５】
次に、実施の形態１に係るボタン部材１０を使用して、パネルにボタンを組み付けるまでの処理の流れを説明する。
【００２６】
まず、上述の形状のボタン部材１０が成型される。
【００２７】
次に、必要に応じて印刷、塗装等の処理が行われた後、ボタン部材１０は、１部材として、電子機器の組み立て作業に移される。
【００２８】
そして、組み立て作業において、まず、ボタン部１０の折り溝５でタイバー４が切断される。これにより、組み立て作業時において、２つのボタン部１Ａ，１Ｂが互いに分離され、各ボタン部１Ａ，１Ｂが、それぞれ１つのボタン部材として取り扱われる。
【００２９】
図３は、図１および図２に示すボタン部材１０から得られるボタン部１Ａ，１Ｂを示す正面図である。図４は、図３に示すボタン部１Ａ，１Ｂが組みつけられるパネル８の一例を示す正面図と断面図である。
【００３０】
図３に示すように２つのボタン部１Ａ，１Ｂを距離ａだけオフセットさせて、図４に示すような曲面形状を有するパネル８のパネル孔９Ａ，９Ｂに合わせて、ボタン凸部２がパネル孔９Ａ，９Ｂに挿入される。なお、このパネル８は、図４（ｂ）に示すようにパネル孔９Ａ，９Ｂの配列方向ｋにおいて、湾曲している。また、パネル孔９Ａ，９Ｂの端面は、型抜き方向からある角度θだけ傾斜している。
【００３１】
ボタン部１０の２つのボタン部１Ａ，１Ｂの間隔ｃは、パネル８の２つのパネル孔９Ａ，９Ｂの間隔ｄと同じ長さとされており、ボタン部１Ａ，１Ｂは、パネル孔９Ａ，９Ｂの配列方向ｋに拡げられることなく、パネル孔９Ａ，９Ｂに組み付けられる。図５は、図３に示すボタン部１Ａ，１Ｂを図４に示すパネル８に組み付けた状態を示す正面図である。
【００３２】
このようにボタン部１Ａ，１Ｂがオフセットされて組みつけられることで、ボタン部１Ａ，１Ｂの間隔を拡げなくても、切断後のタイバー４Ａ，４Ｂが互いに干渉することはない。
【００３３】
ひいては、パネル８の金型の抜き方向とボタン部材１０（ボタン部１Ａ，１Ｂ）の金型の抜き方向とが同一となり、各ボタン部１Ａ，１Ｂをプッシュ（押圧）操作したときにパネル孔９Ａ，９Ｂの縁部とボタン部１Ａ，１Ｂの縁部とが過度に擦れたり引っ掛かったりすることが抑制される。
【００３４】
なお、パネル孔９Ａ，９Ｂへ配置されたボタン部１Ａ，１Ｂは、組み付け後、図示せぬ回路基板上のタクトスイッチやゴムキーなどのスイッチデバイスに接触している。また、ボタン部１Ａ，１Ｂは、スイッチデバイスおよび回路基板によりパネル８側へ付勢され、ボタン部１Ａ，１Ｂが押圧を受けると、回路基板に配置されたタクトスイッチ等のスイッチデバイスが作動する。
【００３５】
以上のように、上記実施の形態１によれば、ボタン部材１０は、曲面状のパネル８に形成されたパネル孔９Ａ，９Ｂに配置されるプッシュ操作用のボタン部材であって、複数のパネル孔９Ａ，９Ｂに配置される複数のボタン部１Ａ，１Ｂと、隣接する２つのボタン部１Ａ，１Ｂを、プッシュ操作の方向とは垂直の方向にオフセットさせて繋ぐ切断可能なタイバー４とを備える。
【００３６】
これにより、複数のボタンを１部材とすることで、金型代を削減することができる。複数のボタンが一体化されているので、塗装などの２次加工も１部品として行われるため、２次加工代も削減することができる。パネルへのボタンの配置（すなわち、組み立て）までは一部品であるため、部品への品番の付与や保管など管理作業を軽減することができる。
【００３７】
ひいては、タイバーにより、隣接する２つのボタン部の間隔を、それらのボタン部が配置されるパネル孔の間隔と等しくでき、パネルの型抜き方向とボタンの型抜き方向とが組み付け後も同一のままとなり、ボタンをプッシュ（押圧）操作したときに、パネル孔９Ａ，９Ｂの縁部とボタン部１Ａ，１Ｂの外縁部とが過度に擦れたり引っ掛かったりすることなく、パネル８のパネル孔９Ａ，９Ｂに配置されたボタンを操作感を良好に保ちつつ１部材で複数のボタン部１Ａ，１Ｂを成型することができる。
【００３８】
さらに、上記実施の形態１によれば、タイバー４に折り溝５を有するので、組み立て時に、タイバー４の切断を簡単に行うことができる。
【００３９】
実施の形態２．
本発明の実施の形態２に係るボタン部材は、実施の形態１に係るボタン部材のボタン部を３つにしたものである。
【００４０】
図６は、本発明の実施の形態２に係るボタン部材の一例を示す正面図である。図６（ａ）に示すように、ボタン部材２０Ａは、３つのボタン部２１Ａ，２１Ｂ，２１Ｃと、隣接する２つのボタン部（２１Ａ，２１Ｂ），（２１Ｂ，２１Ｃ）を、プッシュ操作の方向とは垂直の方向にオフセットさせて繋ぐ切断可能なタイバー２４とを備える。この場合、中央のボタン部２１Ｂには、隣接するボタン部２１Ａ，２１Ｃが２つある。そして、図６（ｂ）に示すように、中央のボタン部２１Ｂに対して、隣接するボタン部２１Ａ，２１Ｃの、組み付け時のオフセット方向が互いに逆になる。
【００４１】
図７は、本発明の実施の形態２に係るボタン部材の他の例を示す正面図である。図７（ａ）に示すように、ボタン部材２０Ｂは、３つのボタン部２１Ａ，２１Ｂ，２１Ｃと、隣接する２つのボタン部（２１Ａ，２１Ｂ），（２１Ｂ，２１Ｃ）を、プッシュ操作の方向とは垂直の方向にオフセットさせて繋ぐ切断可能なタイバー２４とを備える。この場合、中央のボタン部２１Ｂには、隣接するボタン部２１Ａ，２１Ｃが２つある。そして、図７（ｂ）に示すように、中央のボタン部２１Ｂに対して、隣接するボタン部２１Ａ，２１Ｃの、組み付け時のオフセット方向が同一になる。
【００４２】
なお、ボタン部２１Ａ，２１Ｂ，２１Ｃは、ボタン部１Ａ，１Ｂと同様に、ボタン凸部とフランジ部とを有し、フランジ部にタイバー２４が繋がっている。また、タイバー２４には、折り溝５と同様の折り溝２５が形成されている。
【００４３】
また、このボタン部材２０Ａ，２０Ｂも、組み付け時に、タイバー２４が切断され、その後に、各ボタン部２１Ａ，２１Ｂ，２１Ｃがパネル孔に組みつけられる。
【００４４】
以上のように、上記実施の形態２によれば、３つのボタン部２１Ａ，２１Ｂ，２１Ｃが一列に配列される場合でも、２つの場合と同様の効果を得られるボタン部材を実施可能である。なお、実施の形態２では、ボタン部材におけるボタン部が３つであるが、同様にして、１つのボタン部材におけるボタン部を４つ以上とすることも同様に可能である。
【００４５】
実施の形態３．
本発明の実施の形態３に係るボタン部材は、ヒンジにより連結される複数のボタン部を有する場合のものである。
【００４６】
図８は、本発明の実施の形態３に係るボタン部材の一例を示す正面図である。図８（ａ）に示すように、このボタン部材４０は、複数のパネル孔に配置される複数のボタン部４１Ａ，４１Ｂ，４１Ｃと、複数のボタン部４１Ａ，４１Ｂ，４１Ｃのうちの隣接する２つのボタン部４１Ａ，４１Ｂを連結するヒンジ部４６と、２つのボタン部４１Ｂ，４１Ｃを、プッシュ操作の方向とは垂直の方向にオフセットさせて繋ぐ切断可能なタイバー４４とを備える。
【００４７】
ボタン部４１Ｂ，４１Ｃの間隔ｃ２は、ヒンジ部４６により連結される２つのボタン部４１Ａ，４１Ｂの間隔ｃ１より狭く、ボタン部４１Ｂ，４１Ｃをヒンジで繋ぐことが難しいため、ボタン部４１Ｂ，４１Ｃはタイバー４４で連結され、後でタイバー４４が切断される。
【００４８】
また、両端のボタン部４１Ａ，４１Ｃには、ヒンジ部４７が繋げられ、そのヒンジ部４７および上述のヒンジ部４６には、固定孔４８が設けられる。例えばこの固定孔４８をパネルに内側に形成された凸部に嵌合させることで、ボタン部４１Ａ，４１Ｂ，４１Ｃが固定される。
【００４９】
そして、このボタン部材４０は、組み付け時に、タイバー４４を切断することで、ボタン部４１Ａ，４１Ｂがヒンジ部４６で連結された部材と、ボタン部４１Ｃとに分離される。そして、図８（ｂ）に示すように、その部材とボタン部４１Ｃは、互いにオフセットさせられ、パネルに組み付けられる。
【００５０】
以上のように、上記実施の形態３によれば、ボタン部材４０において、ヒンジ部４６により連結される２つのボタン部４１Ａ，４１Ｂより間隔が狭い２つのボタン部４１Ｂ，４１Ｃが、プッシュ操作の方向とは垂直の方向にオフセットさせて繋ぐ切断可能なタイバー４４で連結される。
【００５１】
これにより、間隔の狭いボタン部４１Ｂ，４１Ｃのプッシュ操作時の抵抗感が大きくならず、すべてのボタン部４１Ａ，４１Ｂ，４１Ｃの操作感を均一化することができる。
【００５２】
また、上記実施の形態３によれば、ボタン部４１Ａ，４１Ｂ，４１Ｃの配列方向に湾曲している曲面状のパネルに、これらのボタン部４１Ａ，４１Ｂ，４１Ｃの組み付ける場合でも、成型時のボタン部４１Ｂ，４１Ｃの間隔を、それらのボタン部４１Ｂ，４１Ｃに対応するパネル孔の間隔と等しくすることができ、上述の実施の形態１，２と同様の効果が得られる。
【００５３】
なお、ヒンジを有するボタン部材におけるボタン部の数は３に限らず、他の数でも勿論よい。また、必要に応じて、複数の連結箇所に、タイバー４４を使用するようにしてもよい。
【００５４】
なお、上述の各実施の形態は、本発明の好適な例であるが、本発明は、これらに限定されるものではなく、本発明の要旨を逸脱しない範囲において、種々の変形、変更が可能である。
【００５５】
例えば、上述の各実施の形態では、隣接する２つのボタン部の中央からそれぞれオフセットをもってタイバーが繋がっているが、タイバーの一端が、隣接する２つのボタン部のうちの一方の中央にオフセットなしで繋がり、タイバーの他端が、ボタン部のうちの他方にオフセットをもって繋がるようにしてもよい。
【００５６】
さらに、上述の各実施の形態におけるボタン部のオフセットの長さは、組み付け時や操作時に切断されたタイバーが互いに干渉しない距離であればよい。また、ボタン部のボタン凸部やフランジの形状は、上記のものに限定されるものではなく、組み付けられる装置に応じた形状とすることができる。
【００５７】
また、上述の各実施の形態においてボタン部材の成型に使用される樹脂は、着色樹脂でも透明樹脂でも半透明樹脂でもよく、例えば、プッシュ操作を要する電話装置において、ボタン部分が照明され数字等が光って見えるように構成する場合は、透光性を有する樹脂とすればよい。
【００５８】
さらに、本発明のボタンは、プッシュ操作用のボタンとして用いるものであれば、電子機器に限らず、日用品や文房具などの電子デバイスを有さないものに使用するものでもよい。
【００５９】
【発明の効果】
本発明によれば、パネルのパネル孔に配置するボタンを操作感を良好に保ちつつ１部材で成型することができる。
【図面の簡単な説明】
【図１】本発明の実施の形態１に係るボタン部材を示す平面図である。
【図２】本発明の実施の形態１に係るボタン部材を示す側面図である。
【図３】図１および図２に示すボタン部材から得られるボタン部を示す正面図である。
【図４】図３に示すボタン部が組みつけられるパネルの一例を示す正面図と断面図である。
【図５】図３に示すボタン部を図４に示すパネルに組み付けた状態を示す正面図である。
【図６】本発明の実施の形態２に係るボタン部材の一例を示す正面図である。
【図７】本発明の実施の形態２に係るボタン部材の他の例を示す正面図である。
【図８】本発明の実施の形態３に係るボタン部材の一例を示す正面図である。
【図９】ボタンの組み付け後の周辺構造の例を示す図である。
【図１０】従来のボタン部材の一例を示す正面図である。
【図１１】共取りにより得られる従来のボタンの一例を示す正面図である。
【図１２】従来のボタンおよびその従来のボタンをパネルに組み付けた状態の例を示す図である。
【符号の説明】
１Ａ，１Ｂ，２１Ａ〜２１Ｃ，４１Ａ〜４１Ｃ　ボタン部
２　ボタン凸部
３　フランジ部
４，２４，４４　タイバー
５　折り溝
８　パネル
９Ａ，９Ｂ　パネル孔
１０，２０Ａ，２０Ｂ，４０　ボタン部材
４６　ヒンジ部
【図１】
2004039451.tif 000003
【図２】
2004039451.tif 000004
【図３】
2004039451.tif 000005
【図４】
2004039451.tif 000006
【図５】
2004039451.tif 000007
【図６】
2004039451.tif 000008
【図７】
2004039451.tif 000009
【図８】
2004039451.tif 000010
【図９】
2004039451.tif 000011
【図１０】
2004039451.tif 000012
【図１１】
2004039451.tif 000013
【図１２】
2004039451.tif 000014